(57)【要約】【課題】持続時間を延長でき、アナログ表示部材の表示位置の平均修正時間を短くできる電子時計を提供すること。【解決手段】電子時計１は、アナログ表示部材である日車３５と、日車３５を駆動する日車モーター５３と、日車３５の位置情報を記憶する不揮発性メモリーである表示位置記憶手段２５と、外部より時刻情報を取得する時刻情報取得手段である受信手段１０と、日車モーター５３に対して駆動信号を出力し、駆動信号によって作動される日車モーター５３によって日車３５が駆動される毎に表示位置記憶手段２５に日車３５の位置情報を記憶する制御部２０とを備える。【選択図】図２
2016206057.tif 000002
【特許請求の範囲】
【請求項１】
アナログ表示部材と、
前記アナログ表示部材を駆動する駆動手段と、
前記アナログ表示部材の位置情報を記憶する不揮発性メモリーと、
外部より時刻情報を取得する時刻情報取得手段と、
前記駆動手段に対して駆動信号を出力し、前記駆動信号によって作動される前記駆動手段によって前記アナログ表示部材が駆動される毎に前記不揮発性メモリーに前記アナログ表示部材の位置情報を記憶する制御部と、
を備えることを特徴とする電子時計。
【請求項２】
請求項１に記載の電子時計において、
前記不揮発性メモリーで位置情報を記憶する前記アナログ表示部材は、秒分時以外の情報を表示するアナログ表示部材である
ことを特徴とする電子時計。
【請求項３】
請求項１または請求項２に記載の電子時計において、
前記駆動手段は、２極に着磁されたローターを備えるステッピングモーターであり、
前記制御部は、前記アナログ表示部材の位置情報と、前記ステッピングモーターに出力する前記駆動信号の極性情報とを、前記不揮発性メモリーに記憶する
ことを特徴とする電子時計。
【請求項４】
請求項１から請求項３のいずれか一項に記載の電子時計において、
前記制御部を介して前記駆動手段を作動し、前記アナログ表示部材を駆動して基準位置合わせ操作を行う外部操作部材を備え、
前記制御部は、前記外部操作部材により前記アナログ表示部材の基準位置合わせ操作が行われると、前記不揮発性メモリーに記憶される基準位置情報を書き換える
ことを特徴とする電子時計。
【請求項５】
請求項１から請求項３のいずれか一項に記載の電子時計において、
前記制御部を介して前記駆動手段を作動し、前記アナログ表示部材を駆動して位置合わせ操作を行う外部操作部材と、
前記アナログ表示部材が予め設定された基準位置に移動したことを検出する位置検出手段とを備え、
前記制御部は、前記外部操作部材により前記位置合わせ操作が行われた際の位置情報と、前記位置検出手段で前記基準位置を検出した際の位置情報との差分情報を、前記不揮発性メモリーに記憶する
ことを特徴とする電子時計。
【発明の詳細な説明】
【技術分野】
【０００１】
本発明は、日車や曜車などのアナログ表示部材を備える電子時計に関する。
【背景技術】
【０００２】
電波時計において、電池交換が必要と判断すると、日付表示を所定の基準位置に移し、電池交換後に標準電波等の報時信号を受信し、最新の日付を確認すると、前記日付表示（日車など）を基準位置から最新の日付表示位置に移動する電子時計が知られている。
【先行技術文献】
【特許文献】
【０００３】
【特許文献１】特表２００８−５０２８８４号公報
【発明の概要】
【発明が解決しようとする課題】
【０００４】
しかしながら、前記特許文献１では、電池電圧が低下して電池交換が必要となったのにもかかわらず、日付表示を基準位置に移動しなければならない。このため、電池残量が比較的高い状態で、電池交換用の処理を開始しなければならず、電子時計の持続時間がその分、短縮するという問題があった。
さらに、電池を交換した時点で、日付表示は、例えば、「１日」等の予め決められた基準位置に移動しているため、報時信号を受信してから日付表示が修正されるまでの平均時間が長くなるという問題もあった。
このような問題は、日車などの日付表示に限らず、電池交換などでシステムがリセットされた際に、表示位置の情報と、指針やカレンダー車などのアナログ表示部材の表示位置とを合わせるために、アナログ表示部材を基準位置に移動していた電子時計に共通する問題であった。
【０００５】
本発明の目的は、持続時間を延長でき、アナログ表示部材の表示位置の平均修正時間を短くできる電子時計を提供することにある。
【課題を解決するための手段】
【０００６】
本発明の電子時計は、アナログ表示部材と、前記アナログ表示部材を駆動する駆動手段と、前記アナログ表示部材の位置情報を記憶する不揮発性メモリーと、外部より時刻情報を取得する時刻情報取得手段と、前記駆動手段に対して駆動信号を出力し、前記駆動信号によって作動される前記駆動手段によって前記アナログ表示部材が駆動される毎に前記不揮発性メモリーに前記アナログ表示部材の位置情報を記憶する制御部と、を備えることを特徴とする。
【０００７】
本発明では、制御部は、アナログ表示部材を駆動する毎に、現在の位置情報を不揮発性メモリーに記憶している。このため、電池電圧が低下してシステムリセットが行われる場合に、アナログ表示部材を基準位置に戻す必要が無い。したがって、アナログ表示部材を基準位置に移動する場合に比べて電子時計の持続時間を長くすることができる。
また、システムリセット後に、電池電圧が向上し、時刻情報取得手段によって時刻情報を取得した場合に、アナログ表示部材の現在の表示位置が不揮発性メモリーに記憶されているので、制御部は、アナログ表示部材を基準位置に移動することなく、現在の表示位置から取得した前記時刻情報を指示する位置に、アナログ表示部材を直接移動することができる。
したがって、電子時計の持続時間を延長でき、アナログ表示部材の表示位置の平均修正時間を短くすることができる。
【０００８】
本発明の電子時計において、前記不揮発性メモリーで位置情報を記憶する前記アナログ表示部材は、秒分時以外の情報を表示するアナログ表示部材であることが好ましい。
【０００９】
本発明では、秒分時以外の情報、例えば、日付や曜日などを表示する日車や曜車などのアナログ表示部材の表示位置を不揮発性メモリーに記憶するため、不揮発性メモリーに対する表示位置の書き込み頻度を例えば１日に１回などと少なくできる。したがって、不揮発性メモリーへの書き込みによる電力消費量を低減でき、この点でも電子時計の持続時間を長くすることができる。
【００１０】
本発明の電子時計において、前記駆動手段は、２極に着磁されたローターを備えるステッピングモーターであり、前記制御部は、前記アナログ表示部材の位置情報と、前記ステッピングモーターに出力する前記駆動信号の極性情報とを、前記不揮発性メモリーに記憶することが好ましい。
【００１１】
本発明では、駆動信号の極性情報を不揮発性メモリーに記憶しているので、システムリセット後にアナログ表示部材を駆動する駆動手段に駆動信号を出力する際に、最後に入力した駆動信号の極性情報と異なる極性の駆動信号を正しく出力でき、駆動手段を最初の駆動信号で確実に駆動することができる。
【００１２】
本発明の電子時計において、前記制御部を介して前記駆動手段を作動し、前記アナログ表示部材を駆動して基準位置合わせ操作を行う外部操作部材を備え、前記制御部は、前記外部操作部材により前記アナログ表示部材の基準位置合わせ操作が行われると、前記不揮発性メモリーに記憶される基準位置情報を書き換えることが好ましい。
【００１３】
電子時計のリューズやボタンなどの外部操作部材によって、日車などのアナログ表示部材を予め設定された基準位置に移動する基準位置合わせ操作を行った際に、制御部は、不揮発性メモリーに記憶される基準位置情報を書き換える。このため、利用者が外部操作部材の操作によって指定した位置を基準位置に設定できるので、アナログ表示部材の指示位置のずれを解消することができる。
【００１４】
本発明の電子時計において、前記制御部を介して前記駆動手段を作動し、前記アナログ表示部材を駆動して位置合わせ操作を行う外部操作部材と、前記アナログ表示部材が予め設定された基準位置に移動したことを検出する位置検出手段とを備え、前記制御部は、前記外部操作部材により前記位置合わせ操作が行われた際の位置情報と、前記位置検出手段で前記基準位置を検出した際の位置情報との差分情報を、前記不揮発性メモリーに記憶することが好ましい。
【００１５】
本発明の電子時計によれば、位置検出手段で検出された基準位置が本来の基準位置からずれていた場合に、外部操作部材の操作でアナログ表示部材の位置を調整して本来の基準位置に移動することで、位置検出手段で検出されたアナログ表示部材の基準位置と、外部操作部材の操作によって位置合わせ操作が行われた際の位置情報との差分情報を不揮発性メモリーに記憶することができる。このため、システムリセット後にアナログ表示部材を駆動する際に、前記差分情報を利用することで、利用者が一旦設定した基準位置に合わせてアナログ表示部材を駆動することができる。
【図面の簡単な説明】
【００１６】
【図１】第１実施形態の電子時計を示す正面図である。
【図２】第１実施形態の電子時計の内部構成を示すブロック図である。
【図３】第２実施形態の電子時計の内部構成を示すブロック図である。
【図４】第２実施形態の電子時計を示す正面図である。
【発明を実施するための形態】
【００１７】
［第１実施形態］
以下、本発明の第１実施形態を図面に基づいて説明する。
第１実施形態の電子時計は、標準電波を受信して時刻情報を取得する電波修正時計１である。
図１は、第１実施形態の電波修正時計１を示す正面図であり、図２は電波修正時計１の内部構成を示すブロック図である。
電波修正時計１は、外装ケース１００と、外装ケース１００内に組み込まれるムーブメント２と、ムーブメント２によって駆動されて時刻を表示する表示部３と、外部から操作するための外部操作部材４と、ソーラーセルや回転錘を用いた発電機などで構成される発電部５と、発電部５で発電された電力を蓄積する二次電池などの蓄電部６とを備えている。
【００１８】
電波修正時計１の表示部３は、文字板３０と、秒針３１、分針３２、時針３３、日車３５を備えている。文字板３０には、各指針３１〜３３で時刻を指示するための目盛（インデックス）と、日窓３４とが形成されている。
なお、表示部３としては、曜車を備えていてもよい。また、時刻情報以外の情報を表示するものでもよい。例えば、蓄電部６の充電レベルを表示する指針や、電波修正時計１の動作モード（受信モード等）を表示するモード針を備えていてもよい。
【００１９】
電波修正時計１は、外部操作部材４として、リューズ４１と、Ａボタン４２と、Ｂボタン４３とを備えている。リューズ４１は、１段引くと手動日付合わせモードに移行し、２段引くと手動時刻合わせモードに移行する。これらの各モードでは、後述するように、Ａボタン４２を手動操作することで、日車３５や、分針３２、時針３３を移動することができる。
【００２０】
［ムーブメント２］
電波修正時計１のムーブメント２は、時刻情報取得手段である受信手段（受信回路）１０と、発振回路１１および分周回路１２と、内部時刻計数手段１３と、制御部２０と、不揮発性メモリーで構成される表示位置記憶手段２５と、表示位置基準合わせ手段４５と、表示駆動手段５０と、位置検出手段６０とを備えている。
【００２１】
受信手段１０は、一般的な標準電波の受信回路と同じ構成であり、図示しないアンテナと、同調コンデンサーなどにて構成された図示しない同調回路とを備えている。この受信手段１０は、制御部２０で制御され、同調回路で設定された周波数の長波標準電波をアンテナで受信させるように構成されている。この受信する長波標準電波の種類は、ＪＪＹ、ＷＷＶＢ、ＤＣＦ７７、ＢＰＣ等から選択されて設定される。
また、受信手段１０は、図示しない、増幅回路、バンドパスフィルター、復調回路、デコード回路などを備え、受信した長波標準電波からデジタルデータであるタイムコードを取り出す。したがって、受信手段１０によって時刻情報取得手段が構成されている。受信手段１０で取り出したタイムコードは、内部時刻計数手段１３に出力される。
制御部２０は、自動受信処理と強制受信処理の２つの受信処理で受信手段１０を作動する。自動受信処理では、制御部２０は、内部時刻計数手段１３でカウントしている内部時刻が予め設定された定時時刻になった場合に受信手段１０を作動する。強制受信処理では、制御部２０は、外部操作部材４、具体的にはＡボタン４２が長押しされた場合に受信手段１０を作動する。
【００２２】
発振回路１１は、例えば水晶振動子などの図示しない基準信号源を備え、この基準信号源を高周波発振させ、この高周波発振により発生する発振信号を分周回路１２に出力する。
分周回路１２は、発振回路１１から出力される発振信号を分周し、所定の基準信号、例えば１Ｈｚのパルス信号を内部時刻計数手段１３に出力する。また、制御部２０や表示駆動手段５０にも所定の周波数のパルス信号を出力する。
【００２３】
内部時刻計数手段１３は、「秒、分、時、日、曜、月、年」などの時刻情報を計数する各カウンターを備えて構成され、分周回路１２からの基準信号を用いて内部時刻をカウントする。
【００２４】
［表示駆動手段］
表示駆動手段５０は、秒針モーター５１、時分針モーター５２、日車モーター５３を備える。各モーター５１、５２、５３は、２極に着磁されたローターを備えるステッピングモーターであり、制御部２０から出力される駆動パルス（駆動信号）により駆動される。
秒針モーター５１は、図示略の輪列を介して秒針３１を駆動する。時分針モーター５２は、図示略の輪列を介して分針３２および時針３３を駆動する。日車モーター５３は、図示略の輪列を介して日車３５を駆動する。
【００２５】
［位置検出手段］
電波修正時計１は、秒針３１、分針３２、時針３３の基準位置（０位置）を検出する位置検出手段６０を備えている。位置検出手段６０は、秒針モーター５１で駆動される秒針３１が基準位置（０秒位置）に移動したことを検出する秒針位置検出手段６１と、時分針モーター５２で駆動される分針３２および時針３３が基準位置（１２時０分位置）に移動したことを検出する時分針位置検出手段６２とを備えている。
秒針位置検出手段６１、時分針位置検出手段６２は、従来から用いられている針位置検出装置が利用でき、例えば、秒針３１や、分針３２、時針３３を駆動する輪列の歯車に貫通穴を形成し、秒針３１や、分針３２および時針３３が基準位置を指示する際に、前記貫通穴を通して発光素子から受光素子に光が通過するように構成した針位置検出装置を利用できる。
【００２６】
［表示位置記憶手段］
表示位置記憶手段２５は、ＥＥＰＲＯＭ（Electrically Erasable and Programmable Read Only Memory）などの不揮発性メモリーで構成されている。表示位置記憶手段２５は、後述するように、日車３５の表示位置を記憶するものである。したがって、本実施形態では、日車３５によって、位置情報が不揮発性メモリーに記憶されるアナログ表示部材が構成されている。
なお、秒針３１、分針３２、時針３３は、運針中に針位置検出手段で基準位置を検出できるので、本実施形態では、これらの指針３１〜３３の表示位置は表示位置記憶手段２５に記憶していない。
【００２７】
［表示位置基準合わせ手段］
表示位置基準合わせ手段４５は、外部操作部材４によって表示位置基準合わせ操作が行われた場合に、制御部２０を介して表示位置基準合わせ処理を実行する。
具体的には、ユーザーがＡボタン４２およびＢボタン４３を同時に長押し（例えば４秒以上）すると、表示位置基準合わせ手段４５が作動し、日付の表示位置基準合わせモードに移行する。この際、制御部２０は、秒針モーター５１を作動して秒針３１を所定位置、例えば１３秒位置に移動して、日付の表示位置基準合わせモードに移行したことをユーザーに通知する。
【００２８】
日付の表示位置基準合わせモードにおいて、ユーザーがＢボタン４３を押すと、制御部２０から日車モーター５３に駆動パルスが出力され、日車３５が回転する。なお、日車３５はリング状の大きな表示部材であるため、一日分を移動するために日車モーター５３に複数パルス（例えば１５０パルス）を出力する必要がある。このため、ユーザーがＢボタン４３を例えば２秒以上押すと、制御部２０は日車モーター５３に駆動パルスを連続して出力し、日車３５が連続して駆動する。そして、ユーザーが再度Ｂボタン４３を押すと、日車モーター５３および日車３５が停止する。
また、ユーザーがＢボタン４３を短時間（例えば２秒未満）押すと、制御部２０は日車モーター５３に駆動パルスを１パルス毎出力する。このため、日車３５は、約0.08°毎に移動する。このため、日車３５の位置を微調整することができ、日窓３４に対する日付の表示位置を微調整することができる。したがって、日窓３４の中心に日付が表示されるように手動で調整することができる。
ここで、予め設定された日付の基準位置、例えば１日を示す数字「１」が日窓３４の中心に移動した状態で、ユーザーがボタン操作を行わずに所定時間（例えば１０秒）経過すると、表示位置基準合わせ手段４５は日付の基準位置合わせを終了する。この場合、表示位置基準合わせ手段４５は、制御部２０を介して、不揮発性メモリーで構成された表示位置記憶手段２５に、日車３５の基準位置（１日）を記憶する。すなわち、アナログ表示部材である日車３５の基準位置を、ユーザーが外部操作部材４を操作することで設定でき、この基準位置を示す位置情報が表示位置記憶手段２５に記憶される。
【００２９】
日付の表示位置基準合わせモードにおいて、日車３５が停止した状態で、ユーザーがＡボタン４２を２秒以上押すと、時分針の表示位置基準合わせモードに移行する。この際、制御部２０は、秒針モーター５１を作動して秒針３１を０秒位置（基準位置）に移動して停止し、時分針の表示位置基準合わせモードに移行したことをユーザーに通知する。
そして、ユーザーがＢボタン４３を押すと、表示位置基準合わせ手段４５は、制御部２０を介して時分針モーター５２を駆動し、分針３２および時針３３を０位置（基準位置）に移動する。なお、電波修正時計１は位置検出手段６０を備えているので、秒針３１、分針３２、時針３３は自動的に０位置（基準位置）に移動して停止する。この状態で、所定時間（例えば１０秒間）操作が行われないと、表示位置基準合わせ手段４５は基準位置合わせが完了したと判定する。なお、前述のとおり、表示位置記憶手段２５に各指針３１〜３３の基準位置（０秒、０分、０時）は記憶していない。
【００３０】
〔電波修正時計の動作〕
次に、上述した構成の電波修正時計１における日車３５の動作制御に関して説明する。
前述の日付の表示位置基準合わせモードにより、日車３５の基準位置が確定すると、表示位置基準合わせ手段４５は、制御部２０を介して表示位置記憶手段２５に「１日」という表示位置（基準位置）を書き込んで記憶する。
そして、受信手段１０が標準電波の受信動作が行われて現在時刻を取得し、日付が「１１日」であった場合、制御部２０は日車モーター５３を１０日分駆動する。例えば、１日分の駆動パルスが１５０発であれば、制御部２０は、１５０×１０日分の駆動パルスを出力する。これにより、日車は１１日に移動し、日窓３４には「１１」が表示される。また、制御部２０は、表示位置記憶手段２５に現在の表示位置として「１１日」を書き込んで記憶する。
【００３１】
その後、通常の時刻表示を行い、１２日になると、制御部２０は、日車モーター５３を作動して日車３５を「１２日」に移動するとともに、表示位置記憶手段２５に現在の表示位置として「１２日」を記憶する。さらに、制御部２０は、最後の駆動パルスの極性も表示位置記憶手段２５に記憶する。
【００３２】
日車３５が「１２日」を表示している状態で、システムリセットが行われると、制御部２０は、秒針モーター５１、時分針モーター５２を作動して、指針３１〜３３を針位置検出手段で検出されるまで移動して、各指針３１〜３３を基準位置に移動する。
一方、位置検出手段を備えていない日車３５に関しては、従来は手動の表示位置基準合わせ操作を行う必要があったが、本実施形態では、表示位置記憶手段２５に日車３５の現在の表示位置「１２日」が記憶されているため、日車３５が現在表示している日付は「１２日」であることを制御部２０は把握できる。
【００３３】
システムリセットによって内部時刻計数手段１３でカウントされている内部時刻は初期化されるので、受信処理を行って現在時刻を取得して内部時刻計数手段１３でカウントされている内部時刻を更新する。
制御部２０は、指針３１〜３３は、基準位置にあることを把握できているので、取得した内部時刻を指示する位置まで秒針モーター５１、時分針モーター５２を駆動し、指針３１、分針３２、時針３３を移動する。
制御部２０は、表示位置記憶手段２５から日車３５の現在の表示位置が分かるため、取得した内部時刻の日付位置まで日車モーター５３を駆動し、日車３５を移動する。例えば、システムリセット直後に受信処理を行って日付が変更されていなければ、日車３５は現在の日付を表示しているので、制御部２０は日車モーター５３を作動しない。一方、システムリセットを行った翌日に受信処理を行った場合には、日付が変更されているので、制御部２０は日車モーター５３を１日分作動して、日車３５の表示を翌日に切り替える。この際、制御部２０は、表示位置記憶手段２５から前回の駆動パルスの極性を確認できるので、日車モーター５３の駆動パルスの極性を適切に設定できる。したがって、最初の駆動パルスから日車モーター５３を確実に駆動でき、最初に極性が合わない駆動パルスを入力したために、１パルス分、日車３５の移動がずれてしまうことも防止できる。
【００３４】
このような本実施形態によれば、次の作用効果を奏することができる。
（１）制御部２０は、日車３５を駆動する毎に、現在の位置情報を表示位置記憶手段２５に記憶している。このため、電池電圧が低下してシステムリセットが行われる場合に、日車３５を基準位置に戻す必要が無い。したがって、日車３５を基準位置に移動する場合に比べて電波修正時計１の持続時間を長くすることができる。（２）システムリセット後に、電池電圧が向上し、受信手段１０によって時刻情報を取得した場合に、日車３５の現在の表示位置が不揮発性メモリーである表示位置記憶手段２５に記憶されているので、制御部２０は、日車３５を基準位置に移動することなく、現在の表示位置から取得した時刻情報を指示する位置に、日車３５を直接移動することができる。したがって、日車３５の表示位置の平均修正時間を短くすることができる。
【００３５】
（３）制御部２０は、日車３５を駆動する毎に、駆動パルスの極性も表示位置記憶手段２５に記憶しているので、システムリセットが行われた場合でも、日車モーター５３に対して１発目から正しい極性のパルスを出力できる。このため、日車モーター５３を出力したパルス分だけ確実に駆動することができる。
（４）制御部２０は、日車３５の表示が切り替わる場合のみ表示位置記憶手段２５に記憶し、頻繁に作動する指針３１、分針３２、時針３３の表示位置は表示位置記憶手段２５に記憶しないので、表示位置記憶手段２５に対する書き込み処理の頻度を１日に１回と少なくでき、書き込み処理による電力消費を低減できる。
【００３６】
［第２実施形態］
次に、本発明の第２実施形態について説明する。
第２実施形態の電波修正時計１Ａは、図３に示すように、ムーブメント２Ａに設けられた位置検出手段６０に、日車モーター５３で駆動される日車３５が基準位置（日窓３４に表示される日付が１日となる位置）に移動したことを検出する日車位置検出手段６３が追加されている点が前記電波修正時計１と相違する。その他の構成は、前記電波修正時計１と同様のため、説明を省略する。なお、日車位置検出手段６３は、秒針位置検出手段６１、時分針位置検出手段６２と同様の構成であるため、説明を省略する。
【００３７】
次に、電波修正時計１Ａにおける日車３５の基準位置検出処理と、日付の表示位置基準合わせモードでの処理を、表１も参照して説明する。なお、本実施形態においても、日車モーター５３は、他の時計部品に比べて一般的に大きな表示部材である日車３５を動かすため、一日の日送りに複数発（例えば１５０発）の駆動パルスが必要となる。
そして、日車３５の位置が１日の時に、日車位置検出手段６３が位置検出を行う電波修正時計１Ａの場合、日車３５の基準位置検出処理や日付の表示位置基準合わせモードでの処理は以下の通りとなる。なお、表１に示すように、表示位置記憶手段２５には、日車３５の基準位置情報、位置情報、駆動パルスの極性情報が記憶される。また、表１の表示位置は、日窓３４に表示される日付を示す。
【００３８】
【表１】
2016206057.tif 000003
【００３９】
［Ａ：基準位置検出］
電波修正時計１Ａは、日付の表示位置基準合わせモードに移行後に、所定のボタン、例えばＡボタン４２を押し続けることで、制御部２０から日車モーター５３に駆動パルスが出力し、日車３５が早送りされる。そして、日車位置検出手段６３によって、基準位置、具体的には日窓３４に「１日」が表示される状態になったことが検出される。すると、制御部２０は、日車モーター５３の駆動を停止し、表１に示すように、表示位置記憶手段２５に基準位置情報として「０」、位置情報として「０」を書き込む。
また、日車モーター５３は２極のステッピングモーターであるため、制御部２０は、基準位置を検出する直前、つまり基準位置に移動した際に出力された駆動パルスの極性情報を表示位置記憶手段２５に書き込む。極性情報は、「０」または「１」で表され、表１では最後の駆動パルスの極性が「１」であった場合の例である。
【００４０】
［Ｂ：表示位置合わせ］
日車３５が基準位置に移動した場合、日窓３４には「１日」が表示される。この際、日車３５の表示は駆動パルス１５０発で一日を送る構成になっているため、駆動パルス１発で約0.08°の回転となる。日車３５の１日の印刷位置や文字板の日窓３４の位置のバラツキにより、図４に示すように表示位置がずれる場合があり、日車位置検出手段６３で位置検出された基準位置が最適な表示位置になるとは限らない。
このため、外部操作部材４、具体的にはＡボタン４２、Ｂボタン４３を用いて、日車３５の「１」が日窓３４の中心になるように微調整を行う。制御部２０は、表示位置合わせ操作が完了すると、日車位置検出手段６３で検出された基準位置から調整後の表示位置までの駆動パルス数を表示位置記憶手段２５に基準位置情報として書き込む。
表１では、日車３５を＋７パルス分移動して、図１に示すような日窓３４の中心位置に「１」を移動した場合の例である。これにより、「日車位置検出手段６３で検出した基準位置」と「最適な表示位置」の差分情報（表１では＋７）を時計内部の表示位置記憶手段２５に記憶することができる。なお、基準位置情報の＋符号は日車３５の回転方向を表す。例えば、日車３５を反時計回りに移動した場合は「＋」の数字を記憶し、時計回りに移動した場合は「−」の数字を記憶するなど設定している。また、制御部２０は、最適な表示位置に移動した最後の駆動パルスの極性情報を表示位置記憶手段２５に書き込む。表１では、駆動パルス数が奇数（７）であったため、最後の駆動パルスの極性情報は「０」となり、この情報が書き込まれる。
なお、日車３５の表示位置合わせを実施する度に、表示位置記憶手段２５の基準位置情報は書き換えられる。
【００４１】
［Ｃ：時刻受信］
以上の日車３５の基準位置合わせを実施した時点で日窓３４の表示は「１日」になっている。その後、標準電波の受信処理を行って時刻情報を得た場合に、例えば日付が１１日であれば、制御部２０は、日車モーター５３に１０日分の駆動パルス（10日×150発）出力し、日車３５の表示位置を１１日に移動する。この際、制御部２０は、表１に示すように、表示位置記憶手段２５に位置情報として「１０」を書き込む。すなわち、位置情報は、基準位置である「１日」の場合に「０」と設定しているので、「１１日」の場合は「１０」となる。
また、制御部２０は、最後の駆動パルスの極性情報も表示位置記憶手段２５に書き込む。駆動パルス数が偶数であるため、最後の駆動パルスの極性情報は「０」である。
【００４２】
［Ｄ：カレンダー送り］
標準電波の受信処理後、時間が経過し、内部時刻計数手段１３でカウントしている内部時刻が翌日の午前０時になった時に、制御部２０は、日車３５を一日送るために１５０発の駆動パルスを日車モーター５３に出力し、日付表示を「１２日」に切り換える。この際、表１に示すように、制御部２０は、表示位置記憶手段２５に位置情報として「１１」を書き込み、極性情報に「０」を書き込む。
以下、日車３５を一日送る毎に、制御部２０は表示位置記憶手段２５に位置情報および極性情報を書き込む。
【００４３】
［Ｅ：翌月１日］
電波修正時計１Ａは、内部時刻が翌月１日の午前０時になると、日車３５の表示を３１日から１日に送ることになる。この際、日車位置検出手段６３による基準位置から、基準位置情報「＋７」分、表示位置を変更しているので、制御部２０は、１５０−７＝１４３発の駆動パルスを日車モーター５３に出力した時点で、日車位置検出手段６３による日車３５の位置検出を実施する。ここで、日車位置検出手段６３による日車３５の位置検出に成功すれば、制御部２０は表示位置合わせ用に残りの７発の駆動パルスを日車モーター５３に出力し、表示位置記憶手段２５に位置情報として「０」を書き込み、極性情報として「０」を書き込む。この際、日車３５の表示は「１日」となる。
【００４４】
一方、日車位置検出手段６３による検出が失敗した場合には、制御部２０は、駆動パルスを出力して日車３５を移動しながら位置検出を実施し、基準位置を探した後に、駆動パルスを７発出力し、表示位置記憶手段２５に位置情報として「０」を書き込み、極性情報として最後の駆動パルスの極性を書き込む。
【００４５】
［Ｆ：停止］
その後、電波修正時計１Ａの日車３５が１６日を表示している状態で、蓄電部６の電圧がシステムダウンレベルまで低下し、制御部２０が表示駆動手段５０の駆動を停止した状態になったとする。この場合、表示位置記憶手段２５は、不揮発性メモリーで構成されているので、表示位置「１６日」に対応する位置情報「１５」が記憶された状態が維持される。
【００４６】
［Ｇ：受信後］
その後、発電部５により蓄電部６を充電し、電波修正時計１Ａの動作が再開して標準電波を受信して時刻情報として「１９日」を取得したとする。この場合、位置情報を「１６日」に対応する「１５」から「１９日」に対応する「１８」に変更するため、３日×１５０発の駆動パルスを日車モーター５３に入力する必要がある。そこで、制御部２０は、表示位置記憶手段２５に記憶されたデータに基づき、日車モーター５３に対する最初の駆動パルスの極性を「１」とし、駆動パルスを３日×１５０発、日車モーター５３に出力する。これにより、新たに基準位置合わせ処理や、日車３５の微調整を行うことなく、日車３５の表示を「１９日」にすることができる。
【００４７】
このような第２実施形態によれば、前記第１実施形態と同じ作用効果を奏することができる上、日車位置検出手段６３で検出した基準位置と、表示位置合わせを行った後の位置との差分情報である基準位置情報を表示位置記憶手段２５に記憶しているので、蓄電部６の電圧低下でシステムダウンが生じても、ユーザーは新たに基準位置合わせや日車３５の微調整を行う必要が無く、利用者にとって使い勝手の良い電波修正時計１Ａとすることができる。  
【００４８】
なお、本発明は前記各実施形態に限定されるものではなく、本発明の目的を達成できる範囲での変形、改良などは、本発明に含まれるものである。
例えば、本発明の電波修正時計１、１Ａとしては、日車３５の代わりに曜車等の他のカレンダー車を備えるものでもよいし、日車３５に加えて曜車等の他のカレンダー車を備えるものでもよい。複数のカレンダー車を備える場合には、各カレンダー車を作動させる毎に表示位置記憶手段２５に位置情報を記憶すればよい。
【００４９】
また、前記実施形態では、駆動パルスの極性情報や基準位置情報も表示位置記憶手段２５に記憶していたが、表示位置記憶手段２５には、少なくともカレンダー車の表示位置を示す位置情報を記憶すればよい。ただし、駆動パルスの極性情報を記憶しておけば、システムダウン後の最初の駆動パルスから確実にモーターを駆動することができる利点がある。また、基準位置情報を記憶しておけば、カレンダー車をユーザーなどが微調整した場合に、その調整結果を記憶でき、再度の微調整操作を不要にできる利点がある。
【００５０】
表示位置記憶手段２５を構成する不揮発性メモリーとしては、ＥＥＰＲＯＭに限定されず、フラッシュメモリーなどの蓄電部６の電圧が低下しても記憶しているデータが消去されないものであればよい。
また、表示位置記憶手段２５に記憶する位置情報は、日車３５や曜車などのカレンダー情報に限らず、「時」、「分」、「秒」の情報などでもよい。
さらに、電波修正時計１、１Ａは、標準電波を受信して時刻情報を取得するものに限らず、ＧＰＳ（Global Positioning System）衛星からの電波を受信して時刻情報を取得するものなど、時計の外部から時刻情報を取得するものに広く利用できる。  
【００５１】
また、本発明において、アナログ表示部材は、時刻情報を指示するものに限定されず、時刻情報以外の情報を表示するものでもよい。例えば、アナログ表示部材としては、蓄電部６の充電レベルを表示する指針や、電子時計の動作モード（受信モード等）を表示するモード針でもよい。これらのアナログ表示部材においても、基準位置を指定する必要があり、この場合に本発明を適用できる。したがって、本発明の電子時計は、電波を受信して時刻情報を修正する電波修正時計に限定されず、一般的なアナログ電子時計であってもよい。
【符号の説明】
【００５２】
１、１Ａ…電波修正時計、２、２Ａ…ムーブメント、３…表示部、４…外部操作部材、１０…受信手段、１３…内部時刻計数手段、２０…制御部、２５…表示位置記憶手段、３０…文字板、３１…秒針、３２…分針、３３…時針、３４…日窓、３５…日車、４１…リューズ、４２…Ａボタン、４３…Ｂボタン、４５…表示位置基準合わせ手段、５０…表示駆動手段、５１…秒針モーター、５２…時分針モーター、５３…日車モーター、６０…位置検出手段、６１…秒針位置検出手段、６２…時分針位置検出手段、６３…日車位置検出手段。
【図１】
2016206057.tif 000004
【図２】
2016206057.tif 000005
【図３】
2016206057.tif 000006
【図４】
2016206057.tif 000007